(57)【要約】【課題】ケースハウジングとリングフレームとの結合強度を高めることができると共に、ハウジングが外力による変位量を減少させること。【解決手段】ケースハウジングとリングフレームとからなるハードタイプスーツケースは、第１のハウジングを第２のハウジングに連結して構成される。これらのハウジングはいずれも、硬い素材のパネルをリングフレームに結合してなる。第１のハウジングと第２のハウジングとからなる内部スペースには収納空間が形成されている。第１のストッパ機構及び第２のストッパ機構は、スーツケースの内部に配置され、かつ硬い素材のパネルに接触している。これにより、硬い素材のパネルの移動を阻止することができ、また、スーツケースの強度をより大きくすることができる。【選択図】図２
2018102628.tif 000002
【特許請求の範囲】
【請求項１】
第１のパネルを第１のリングフレームに結合した第１のハウジングと、
前記第１のハウジングに連結され、第２のパネルを第２のリングフレームに結合した第２のハウジングと、
前記第１のハウジングと前記第２のハウジングからなるスペースに形成された収納空間と、
前記第１のリングフレームに配置され、かつ、前記第１のパネルの前記収納空間の内部への移動を阻止するように前記第１のパネルの端部に当接する第１のストッパ機構と、
前記第２のリングフレームに配置され、かつ、前記第２のパネの収納空間の内部への移動を阻止するように前記第２のパネルの端部に当接する第２のストッパ機構と、
を含むことを特徴とする、ケースハウジングとリングフレームとからなるハードタイプスーツケース。
【請求項２】
前記第１のストッパ機構は、前記第１のリングフレームの内壁面に形成され、リング状のリブ構造で、前記収納空間に向けて突出していることを特徴とする請求項１記載のケースハウジングとリングフレームとからなるハードタイプスーツケース。
【請求項３】
前記第２のストッパ機構は、前記第２のリングフレームの内壁面に形成され、リング状のリブ構造で、前記収納空間に向けて突出していることを特徴とする請求項１記載のケースハウジングとリングフレームとからなるハードタイプスーツケース。
【請求項４】
さらに、第１の嵌め込み部と第１の装飾ストリップの組立て体、及び第２の嵌め込み部と第２の装飾ストリップの組立て体を含み、
前記第１の嵌め込み部は、前記第１のリングフレームの外表面に突出するように形成され、
前記第１の装飾ストリップは前記第１の嵌め込み部に嵌め込まれ、
前記第２の嵌め込み部は、前記第２のリングフレームの外表面に突出するように形成され、
前記第２の装飾ストリップは前記第２の嵌め込み部に嵌め込まれている、ことを特徴とする請求項１記載のケースハウジングとリングフレームとからなるハードタイプスーツケース。
【請求項５】
第１のハウジングと、
前記第１のハウジングに連結された第２のハウジングと、
前記第１のハウジングと前記第１のハウジングからなる内部スペースに形成された収納空間と、
前記第１のリングフレームに形成された第１のストッパ機構と、
前記第２のリングフレームに形成された第２のストッパ機構とを備えるハードタイプスーツケースにおいて、
前記第１のハウジングは第１のパネルと第１のリングフレームとを含み、前記第１のパネルの周縁部には第１のパネル曲げ部が形成され、前記第１のリングフレームの周縁部には第１のリングフレーム曲げ部が形成され、前記第１のパネル曲げ部と前記第１のリングフレーム曲げ部は貼り付けられており、
前記第１のハウジングは第２のパネルと第２のリングフレームとを含み、前記第２のパネルの周縁部には第２のパネル曲げ部が形成され、前記第２のリングフレームの周縁部には第２のリングフレーム曲げ部が形成され、前記第２のパネル曲げ部と前記第２のリングフレーム曲げ部は貼り付けられており、
前記第１のストッパ機構は、前記収納空間内に、前記第１のパネル曲げ部の端部に対応するように配置され、かつ、前記第１のパネルが前記収納空間の内部への移動を阻止する機能を有し、
前記第２のストッパ機構は、前記収納空間内に、前記第２のパネル曲げ部の端部に対応するように配置され、かつ、前記第２のパネルが前記収納空間の内部への移動するのを阻止する機能を有することを特徴とするケースハウジングとリングフレームとからなるハードタイプスーツケース。
【請求項６】
前記第１のストッパ機構は前記第１のリングフレームの内壁面に形成され、
前記第１のストッパ機構は、リング状のリブ構造で、前記収納空間に向けて突出しており、
前記第２のストッパ機構は前記第２のリングフレームの内壁面に形成され、
前記第２のストッパ機構は、リング状のリブ構造で、前記収納空間に向けて突出していることを特徴とする請求項５記載のケースハウジングとリングフレームとからなるハードタイプスーツケース。
【請求項７】
さらに、複数の締結部材を含み、
前記各締結部材は、前記第１のパネル曲げ部と前記第１のリングフレーム曲げ部とが重なり合う箇所、及び、前記第２のパネル曲げ部と前記第２のリングフレーム曲げ部とが重なり合う箇所に挿通され、
前記各締結部材の装着方向は、前記第１のパネル及び前記第２のパネルの前記収納空間内部への移動方向に垂直な方向であることを特徴とする請求項５記載のケースハウジングとリングフレームとからなるハードタイプスーツケース。
【請求項８】
前記第１のパネルの外表面には第１の段差部が形成されており、
前記第１のリングフレーム曲げ部の端部は前記第１の段差部に当接され、
前記第１のパネル曲げ部と前記第１のリングフレーム曲げ部は重なり合い、
前記第２のパネルの外表面には第２の段差部が形成されており、
前記第２のリングフレーム曲げ部の端部は前記第２の段差部に当接され、
前記第２のパネル曲げ部と前記第２のリングフレーム曲げ部は重なり合うことを特徴とする請求項５記載のケースハウジングとリングフレームとからなるハードタイプスーツケース。
【請求項９】
さらに、第１の嵌め込み部と第１の装飾ストリップの組立て体、及び、第２の嵌め込み部と第２の装飾ストリップの組立て体を含み、
前記第１の嵌め込み部は前記第１のリングフレームの外表面に突出するように形成され、
前記第１の装飾ストリップは前記第１の嵌め込み部に嵌め込まれ、
前記第２の嵌め込み部は前記第２のリングフレームの外表面に突出するように形成され、
前記第２の装飾ストリップが前記第２の嵌め込み部に嵌め込まれている、
ことを特徴とする請求項５記載のケースハウジングとリングフレームとからなるハードタイプスーツケース。
【請求項１０】
さらに、第１の仕切り板と第２の仕切り板とを含み、
前記第１の仕切り板は、前記第１のパネルの一方側に配置され、
前記第１のパネルと前記第１の仕切り板の組立て体は前記第１のリングフレームに結合され、
前記第１のパネルの前記第１のパネル曲げ部の端部は、前記第１のストッパ機構に対応するように前記第１の仕切り板に押し付けられ、
前記第２の仕切り板は、前記第２のパネルの一方側に配置され、
前記第２のパネルと前記第２の仕切り板の組立て体は前記第２のリングフレームに結合され、
前記第２のパネルの前記第２のパネル曲げ部の端部は、前記第２のストッパ機構に対応するように前記第２の仕切り板に押し付けられる、
ことを特徴とする請求項５記載のケースハウジングとリングフレームとからなるハードタイプスーツケース。
【発明の詳細な説明】
【技術分野】
【０００１】
本発明は、スーツケース構造の技術分野に係り、特に、ケースハウジングとリングフレームとからなるハードタイプスーツケースに関する。
【背景技術】
【０００２】
スーツケースは、ケースハウジングの堅さによって、ソフトタイプスーツケースとハードタイプスーツケースに分けられる。そのうち、ハードタイプスーツケースは、変形を防止する能力がより高い。言い換えれば、スーツケースを搬送する過程において、このスーツケースのハウジングには変形が発生しにくい。
【０００３】
米国特許US9,380,845号には、ケースハウジングが、硬い素材の板体で、特に、そのケースハウジングの表面にデザインパネルが設けられ、また、ハウジングの周縁にボーダ部が設けられるスーツケースが開示されている。ただし、当該米国特許には前記ケースハウジングと前記ボーダ部の構造及びそれらの結合態様は開示されていない。
【０００４】
米国特許US6,050,373号には、対向開閉可能なフレームを２つ備え、かつ、２つのハウジングは、それぞれフレームに嵌め込まれるスーツケース構造が開示されている。しかし、当該米国特許には、前記フレームに、前記ハウジングが前記スーツケースの内部に移動することを防ぐための適切なストッパ機構を備えることが開示されていない。
【０００５】
米国特許US20160166024号には、フレームとパネルからなるハウジングを備えるスーツケースにおいて、前記パネルと前記ハウジングは締結手段で締結されるスーツケース構造が開示されている。しかし、当該米国特許には、前記フレームに、前記パネルが前記スーツケースの内部に移動することを防ぐための適切なストッパ機構を備えることが開示されていない。また、前記締結手段の装着方向は前記パネルの前記スーツケースの内部への移動方向に平行であることから、当該締結手段では、前記パネルの前記スーツケースの内部への移動を阻止する効果が実現できない。
【先行技術文献】
【特許文献】
【０００６】
【特許文献１】米国特許第9,380,845号明細書
【特許文献２】米国特許第6,050,373号明細書
【特許文献３】米国特許出願公開第2016-0166024号明細書
【発明の概要】
【発明が解決しようとする課題】
【０００７】
本発明の目的は、ケースハウジングとリングフレームとの結合強度を高めることができると共に、ハウジングが外力による変位量を減少させることが可能な、ケースハウジングとリングフレームとからなるハードタイプスーツケースを提供することにある。
【課題を解決するための手段】
【０００８】
そこで、本発明者は上記の欠点が改善可能と考え、鋭意検討を重ねた結果、合理的設計で上記の課題を効果的に改善する本発明の提案に到った。本発明は、上述のような従来の問題を解決するためになされたもので、上述の目的及び効果に達するため、本発明に係るスーツケースは、第１のハウジングと、これに連結された第２のハウジングとを含むスーツケースを提供する。前記第１のハウジングは、第１のリングフレームに第１のパネルを結合して構成されており、前記第２のハウジングは、第２のリングフレームに第２のパネルを結合して構成されている。前記第１のハウジングと前記第２のハウジングからなる内部スペースには収納空間が形成されている。第１のストッパ機構は、前記第１のリングフレームに配置され、かつ前記第１のパネの前記収納空間の内部への移動を阻止できるように前記第１のパネルの端部に当接している。第２のストッパ機構は、前記第２のリングフレームに配置され、かつ前記第２のパネの収納空間の内部への移動を阻止できるように前記第２のパネルの端部に当接している。
【０００９】
ここで、前記第１のストッパ機構及び前記第２のストッパ機構は、リング状のリブ構造である。前記第１のストッパ機構及び前記第２のストッパ機構は、それぞれ、前記第１のリングフレームと前記第２のリングフレームの内壁面に形成されるとともに、前記収納空間に突出している。このようにして、前記第１のストッパ機構及び前記第２のストッパ機構は、前記第１のパネルと前記第２のパネルが前記収納空間の内部に移動するのを有効に阻止することができる。
【図面の簡単な説明】
【００１０】
【図１】本発明の外観図である。
【図２】本発明の組立て構造を示す図である。
【図３】本発明の第１のハウジングの分解図である。
【図４】本発明の第１のハウジングの構造を示す図である。
【図５】本発明の第２のハウジングの分解図である。
【図６】本発明の第２のハウジングの構造を示す図である。
【図７】本発明の他の実施例の分解図である。
【図８】本発明の他の実施例の組立て構造を示す図である。
【発明を実施するための形態】
【００１１】
図１、図２を参照する。本発明は、第１のハウジング１０と第２のハウジング４０とを連結してなるスーツケースを開示している。第２のハウジング４０は、第１のハウジング１０に対して閉位置及び開位置の間で移動することができる。第１のハウジング１０と第２のハウジング４０からなる内部スペースには、収納空間７０（図２参照）が形成される。
【００１２】
図２、図３を参照する。第１のハウジング１０は、第１のパネル１２と、第１のリングフレーム１４とを含む。第１のパネル１２は硬い素材の板体であり、第１のリングフレーム１４は金属枠である。第１のパネル１２は第１のリングフレーム１４に結合されている。さらに、第１のパネル１２の周縁部には、第１のパネル曲げ部１６が形成される。また、第１のリングフレーム１４の周縁部には、第１のリングフレーム曲げ部１８が形成される。第１のパネル１２は第１のリングフレーム１４の組立て体に結合される。第１のパネル曲げ部１６は、第１のリングフレーム曲げ部１８に貼り付ける（重なり合う）ものとして用いることができる。
【００１３】
図３、図４を参照する。第１の嵌め込み部２０と第１の装飾ストリップ２２の組立て体は第１のリングフレーム１４の外側に配置される。さらに、第１の嵌め込み部２０は第１のリングフレーム１４の外表面に突出して形成されている（図４）。第１の嵌め込み部２０は、第１のリングフレーム１４を囲むようになっている。第１の装飾ストリップ２２は、第１のリングフレーム１４を囲むように第１の嵌め込み部２０に嵌め込まれる。
【００１４】
第１のストッパ機構２４は、第１のリングフレーム１４に配置されて、第１のパネル１２が収納空間７０の内部に移動することを阻止するために用いられる。さらに、第１のストッパ機構２４は、第１のリングフレーム１４の内壁面に沿って形成されたリング状のリブ構造である。第１のストッパ機構２４は、収納空間７０に向けて突出するようになっている。第１のパネル１２が第１のリングフレーム１４に結合された状態では、第１のパネル１２の第１のパネル曲げ部１６の端部２６は、第１のストッパ機構２４に当接することになる。このようにして、第１のストッパ機構２４は、第１のパネル１２の収納空間７０の内部への移動を阻止することができる。
【００１５】
第１のパネル１２の外表面には第１の段差部２８が形成される。第１のパネル曲げ部１６と第１のリングフレーム曲げ部１８とが重ねて組立てられた状態では、第１のリングフレーム曲げ部１８の端部３０は第１の段差部２８に当接することができる。
【００１６】
図２、図５、図６を参照する。第２のハウジング４０は、第２のパネル４２と、第２のリングフレーム４４とを含む。第２のパネル４２は、硬い素材の板体であり、第２のリングフレーム４４は、金属枠である。第２のパネル４２は第２のリングフレーム４４に結合される。
【００１７】
第２のパネル４２の周縁部には第２のパネル曲げ部４６が形成されており、また、第２のリングフレーム４４の周縁部には第２のリング曲げ部４８が形成されている。第２のパネル４２が第２のリングフレーム４４に結合された状態では、第２のパネル曲げ部４６が第２のリング曲げ部４８に貼り付けられる（重なり合う）。
【００１８】
図５、図６を参照する。第２の嵌め込み部５０と第２の装飾ストリップ５２との組立て体は第２のリングフレーム４４に配置される。さらに、第２の嵌め込み部５０は、第２のリングフレーム４４の外表面に突出して形成され（図４を参照）、第２の嵌め込み部５０は、第２のリングフレーム４４を囲むようになっている。第２の装飾ストリップ５２は、第２のリングフレーム４４を囲むように第２の嵌め込み部５０に嵌め込まれる。
【００１９】
第２のストッパ機構５４は、第２のリングフレーム４４の内面に位置され、また第２のパネル４２が収納空間７０の内部に移動することを阻止するものとして用いられる。第２のストッパ機構５４は、第２のリングフレーム４４の内壁面に沿って形成されたリング状のリブ構造である。第２のストッパ機構５４は収納空間７０に向けて突出するようになっている。第２のパネル４２が第２のリングフレーム４４に結合された状態では、第２のパネル４２の第２のパネル曲げ部４６の端部５６が第２のストッパ機構５４に当接するようになっている。このようにして、第２のストッパ機構５４は、第２のパネル４２が収納空間７０の内部への移動を阻止することができる。
【００２０】
第２のパネル４２の外表面には第２の段差部５８が形成される。第２のパネル曲げ部４６と第２のリングフレーム曲げ部４８とが重ねられた場合には、第２のリングフレーム曲げ部４８の端部６０が第２の段差部５８に当接するようになっている。
【００２１】
図４及び図６から分かるように、第１のストッパ機構２４は第１のパネル１２の第１のパネル曲げ部１６の端部２６に当接し、第２のストッパ機構５４は第２のパネル４２の第２のパネル曲げ部４６の端部５６に当接している。これにより、第１のパネル１２と第２のパネル４２に外力がかかったとしても、第１のストッパ機構２４及び第２のストッパ機構５４は、第１のパネル１２と第２のパネル４２の移動を確実に阻止することができるため、スーツケースの強度はより大きくなっている。
【００２２】
第１のリングフレーム１４は、第１の嵌め込み部２０と第１の装飾ストリップ２２との組立て体を備え、第２のリングフレーム４４は、第２の嵌め込み部５０と第２の装飾ストリップ５２との組立て体を備える。このように、第１のリングフレーム１４及び第２のリングフレーム４４の幅が増大するため、スーツケースの強度を向上することができる。また、スーツケース全体の色や素材を一致させるために第１の装飾ストリップ２２の色や素材と、第１のパネル１２の色や素材とをそれぞれ同一にするように選択することができ、第２の装飾ストリップ５２の色や素材と、第２のパネル４２の色や素材とをそれぞれ同一にするように選択することができる。
【００２３】
なお、第１のリングフレーム曲げ部１８の端部３０が第１の段差部２８に当接すると共に、第２のリング曲げ部４８の端部６０が第２の段差部５８に当接する仕組みであることから、スーツケース全体の外見は、より滑らかになる。
【００２４】
図３、図４を参照する。本発明は、複数の締結部材７２を含む。各締結部材７２は、第１のパネル曲げ部１６と第１のリングフレーム曲げ部１８とを重なり合う箇所に挿通されている。各締結部材７２の装着方向は、第１のパネル１２の収納空間７０内部への移動の方向に垂直な方向である。各締結部材７２に係る装着方法により、第１のパネル１２と第１のリングフレーム１４との結合強度を高めることができ、かつ、各締結部材７２に係る装着方向により、第１のパネル１２の移動をより有効に規制することができることから、スーツケース全体の強度を向上することができる。
【００２５】
図５、図６を参照する。複数の締結部材７４は、第２のパネル曲げ部４６と第２のリング曲げ部４８とを重なり合う箇所に挿通される。各締結部材７４の装着方向は第２のパネル４２の収納空間７０内部への移動の方向に垂直な方向である。このように、各締結部材７４に係る装着方法により、第２のパネル４２と第２のリングフレーム４４との結合強度を高めることができ、かつ、各締結部材７４に係る装着方向は、さらに、第２のパネル４２の移動をより有効に規制することができることから、スーツケース全体の強度を向上することができる。
【００２６】
図７、図８を参照する。本発明の他の実施例では、第１のパネル１２の一方側には第１の仕切り板７６が形成または配置されており、かつ、第１のパネル１２と第１の仕切り板７６との組立て体は第１のリングフレーム１４に結合されている。第１のパネル１２の第１のパネル曲げ部１６の端部２６は、第１のストッパ機構２４に対応するように第１の仕切り板７６に押し付けられている。
【００２７】
同様に、第２のパネル４２の一方側には第２の仕切り板７８が形成または配置されており、第２のパネル４２と第２の仕切り板７８との組立ては第２のリングフレーム４４に結合されている。特に、第２のパネル４２の第２のパネル曲げ部４６の端部５６は、第２のストッパ機構５４に対応するように第２の仕切り板７８に押し付けられている。
【００２８】
このようにして、第１のストッパ機構２４及び第２のストッパ機構５４は、第１のパネル１２と第１の仕切り板７６の組立て体が収納空間７０の内部に変位することを有効に阻止することができ、また、第２のパネル４２と第２の仕切り板７８の組立てが収納空間７０の内部に変位することを有効に阻止することができる。
【００２９】
なお、本発明は前述した実施の形態のみに限定されるものではなく、本発明の要旨を逸脱しない範囲において種々の変更が可能であることは勿論である。
【符号の説明】
【００３０】
１０…第１のハウジング
１２…第１のパネル
１４…第１のリングフレーム
１６…第１のパネル曲げ部
１８…第１のリングフレーム曲げ部
２０…第１の嵌め込み部
２２…第１の装飾ストリップ
２４…第１のストッパ機構
２６…端部
２８…第１の段差部
３０…端部
４０…第２のハウジング
４２…第２のパネル
４４…第２のリングフレーム
４６…第２のパネル曲げ部
４８…第２のリング曲げ部
５０…第２の嵌め込み部
５２…第２の装飾ストリップ
５４…第２のストッパ機構
５６…端部
５８…第２の段差部
６０…端部
７０…収納空間
７２…締結部材
７４…締結部材 
７６…第１の仕切り板
７８…第２の仕切り板
【図１】
2018102628.tif 000003
【図２】
2018102628.tif 000004
【図３】
2018102628.tif 000005
【図４】
2018102628.tif 000006
【図５】
2018102628.tif 000007
【図６】
2018102628.tif 000008
【図７】
2018102628.tif 000009
【図８】
2018102628.tif 000010
【手続補正書】
【提出日】平成30年2月21日(2018.2.21)
【手続補正１】
【補正対象書類名】特許請求の範囲
【補正対象項目名】全文
【補正方法】変更
【補正の内容】
【特許請求の範囲】
【請求項１】
第１のパネルを第１のリングフレームに結合した第１のハウジングと、
前記第１のハウジングに連結され、第２のパネルを第２のリングフレームに結合した第２のハウジングと、
前記第１のハウジングと前記第２のハウジングからなるスペースに形成された収納空間と、
前記第１のリングフレームに配置され、かつ、前記第１のパネルの前記収納空間の内部への移動を阻止するように前記第１のパネルの端部に当接する第１のストッパ機構と、
前記第２のリングフレームに配置され、かつ、前記第２のパネルの収納空間の内部への移動を阻止するように前記第２のパネルの端部に当接する第２のストッパ機構と、
を含むことを特徴とする、ケースハウジングとリングフレームとからなるハードタイプスーツケース。
【請求項２】
前記第１のストッパ機構は、前記第１のリングフレームの内壁面に形成され、リング状のリブ構造で、前記収納空間に向けて突出していることを特徴とする請求項１記載のケースハウジングとリングフレームとからなるハードタイプスーツケース。
【請求項３】
前記第２のストッパ機構は、前記第２のリングフレームの内壁面に形成され、リング状のリブ構造で、前記収納空間に向けて突出していることを特徴とする請求項１記載のケースハウジングとリングフレームとからなるハードタイプスーツケース。
【請求項４】
さらに、第１の嵌め込み部と第１の装飾ストリップの組立て体、及び第２の嵌め込み部と第２の装飾ストリップの組立て体を含み、
前記第１の嵌め込み部は、前記第１のリングフレームの外表面に突出するように形成され、
前記第１の装飾ストリップは前記第１の嵌め込み部に嵌め込まれ、
前記第２の嵌め込み部は、前記第２のリングフレームの外表面に突出するように形成され、
前記第２の装飾ストリップは前記第２の嵌め込み部に嵌め込まれている、ことを特徴とする請求項１記載のケースハウジングとリングフレームとからなるハードタイプスーツケース。
【請求項５】
第１のハウジングと、
前記第１のハウジングに連結された第２のハウジングと、
前記第１のハウジングと前記第１のハウジングからなる内部スペースに形成された収納空間と、
前記第１のリングフレームに形成された第１のストッパ機構と、
前記第２のリングフレームに形成された第２のストッパ機構とを備えるハードタイプスーツケースにおいて、
前記第１のハウジングは第１のパネルと第１のリングフレームとを含み、前記第１のパネルの周縁部には第１のパネル曲げ部が形成され、前記第１のリングフレームの周縁部には第１のリングフレーム曲げ部が形成され、前記第１のパネル曲げ部と前記第１のリングフレーム曲げ部は貼り付けられており、
前記第２のハウジングは第２のパネルと第２のリングフレームとを含み、前記第２のパネルの周縁部には第２のパネル曲げ部が形成され、前記第２のリングフレームの周縁部には第２のリングフレーム曲げ部が形成され、前記第２のパネル曲げ部と前記第２のリングフレーム曲げ部は貼り付けられており、
前記第１のストッパ機構は、前記収納空間内に、前記第１のパネル曲げ部の端部に対応するように配置され、かつ、前記第１のパネルが前記収納空間の内部への移動を阻止する機能を有し、
前記第２のストッパ機構は、前記収納空間内に、前記第２のパネル曲げ部の端部に対応するように配置され、かつ、前記第２のパネルが前記収納空間の内部への移動するのを阻止する機能を有することを特徴とするケースハウジングとリングフレームとからなるハードタイプスーツケース。
【請求項６】
前記第１のストッパ機構は前記第１のリングフレームの内壁面に形成され、
前記第１のストッパ機構は、リング状のリブ構造で、前記収納空間に向けて突出しており、
前記第２のストッパ機構は前記第２のリングフレームの内壁面に形成され、
前記第２のストッパ機構は、リング状のリブ構造で、前記収納空間に向けて突出していることを特徴とする請求項５記載のケースハウジングとリングフレームとからなるハードタイプスーツケース。
【請求項７】
さらに、複数の締結部材を含み、
前記各締結部材は、前記第１のパネル曲げ部と前記第１のリングフレーム曲げ部とが重なり合う箇所、及び、前記第２のパネル曲げ部と前記第２のリングフレーム曲げ部とが重なり合う箇所に挿通され、
前記各締結部材の装着方向は、前記第１のパネル及び前記第２のパネルの前記収納空間内部への移動方向に垂直な方向であることを特徴とする請求項５記載のケースハウジングとリングフレームとからなるハードタイプスーツケース。
【請求項８】
前記第１のパネルの外表面には第１の段差部が形成されており、
前記第１のリングフレーム曲げ部の端部は前記第１の段差部に当接され、
前記第１のパネル曲げ部と前記第１のリングフレーム曲げ部は重なり合い、
前記第２のパネルの外表面には第２の段差部が形成されており、
前記第２のリングフレーム曲げ部の端部は前記第２の段差部に当接され、
前記第２のパネル曲げ部と前記第２のリングフレーム曲げ部は重なり合うことを特徴とする請求項５記載のケースハウジングとリングフレームとからなるハードタイプスーツケース。
【請求項９】
さらに、第１の嵌め込み部と第１の装飾ストリップの組立て体、及び、第２の嵌め込み部と第２の装飾ストリップの組立て体を含み、
前記第１の嵌め込み部は前記第１のリングフレームの外表面に突出するように形成され、
前記第１の装飾ストリップは前記第１の嵌め込み部に嵌め込まれ、
前記第２の嵌め込み部は前記第２のリングフレームの外表面に突出するように形成され、
前記第２の装飾ストリップが前記第２の嵌め込み部に嵌め込まれている、
ことを特徴とする請求項５記載のケースハウジングとリングフレームとからなるハードタイプスーツケース。
【請求項１０】
さらに、第１の仕切り板と第２の仕切り板とを含み、
前記第１の仕切り板は、前記第１のパネルの一方側に配置され、
前記第１のパネルと前記第１の仕切り板の組立て体は前記第１のリングフレームに結合され、
前記第１のパネルの前記第１のパネル曲げ部の端部は、前記第１のストッパ機構に対応するように前記第１の仕切り板に押し付けられ、
前記第２の仕切り板は、前記第２のパネルの一方側に配置され、
前記第２のパネルと前記第２の仕切り板の組立て体は前記第２のリングフレームに結合され、
前記第２のパネルの前記第２のパネル曲げ部の端部は、前記第２のストッパ機構に対応するように前記第２の仕切り板に押し付けられる、
ことを特徴とする請求項５記載のケースハウジングとリングフレームとからなるハードタイプスーツケース。